(57)【要約】【課題】  無駄なアクセス料金を発生させることなく、通信負荷を軽減させる。【解決手段】  携帯型情報端末２は、利用者の現在位置を検出する位置検出部１３と、位置検出部１３の検出結果に応じた地図画像３０を提供するサーバ２１に無線接続する通信Ｉ／Ｆ１５と、地図画像３０を表示するＬＣＤ１９と、利用者の歩数をカウントする万歩計１２と、万歩計１２により歩数が一定数カウントされたことを契機として、通信Ｉ／Ｆ１５によりサーバ２１にアクセスさせ、地図画像３０を更新させるＣＰＵ１０とを備える。利用者の歩数が一定歩数カウントされたことを契機としてサーバ２１にアクセスし、地図画像３０を更新するので、無駄なアクセス回数を減らすことができる。【選択図】        図１
2005266160.tif 000002
【特許請求の範囲】
【請求項１】
利用者の現在位置を検出する位置検出手段と、
前記位置検出手段の検出結果に応じた地図画像を提供する地図画像提供手段に無線接続する無線通信手段と、
前記地図画像を表示する表示手段と、
前記利用者の歩数をカウントする万歩計と、
前記万歩計により歩数が一定数カウントされたことを契機として、前記無線通信手段により前記地図画像提供手段にアクセスさせ、前記地図画像を更新させる制御手段とを備えたことを特徴とする携帯型情報端末。
【請求項２】
前記制御手段は、前記万歩計による歩数のカウント値を参照して、前記位置検出手段の検出結果を修正することを特徴とする請求項１に記載の携帯型情報端末。
【請求項３】
前記表示手段は、前記地図画像とともに前記万歩計による歩数のカウント値を表示することを特徴とする請求項１または２に記載の携帯型情報端末。
【発明の詳細な説明】
【技術分野】
【０００１】
本発明は、利用者の移動に応じて、利用者の現在位置を地図画像上に表示する携帯型情報端末に関する。
【背景技術】
【０００２】
近年、ＧＰＳ（Global Positioning System ）機能を搭載した携帯電話やＰＤＡ（Personal Digital Assistance ）などの携帯型情報端末が普及している。このような携帯型情報端末には、ＧＰＳにより利用者の現在位置を検出して、これを地図画像上に表示し、迅速且つ確実に目的地へ移動することができるようにした、いわゆるヒューマンナビゲーションサービスの利用が可能なものがある（特許文献１参照）。
【０００３】
【特許文献１】特開２００１−２８９６６４号公報
【発明の開示】
【発明が解決しようとする課題】
【０００４】
上記サービスの利用に際しては、膨大な地図画像が蓄積されたサーバに一定の時間間隔でアクセスし、その都度ＧＰＳの検出結果に応じた地図画像をダウンロードして更新している。このため、利用者が移動せずに立ち止まっている間や、地図画像を注視せずに移動している間も、地図画像の更新が頻繁に行われていることになる。換言すると、利用者には無駄なアクセス料金を支払わせていることになり、サーバには余計な通信負荷が掛かっていることになる。
【０００５】
本発明は、上記課題を鑑みてなされたものであり、ヒューマンナビゲーションサービスの利用に際して、無駄なアクセス料金を発生させることなく、通信負荷を軽減させることができる携帯型情報端末を提供することを目的とする。
【課題を解決するための手段】
【０００６】
上記目的を達成するために、本発明の携帯型情報端末は、利用者の現在位置を検出する位置検出手段と、前記位置検出手段の検出結果に応じた地図画像を提供する地図画像提供手段に無線接続する無線通信手段と、前記地図画像を表示する表示手段と、前記利用者の歩数をカウントする万歩計と、前記万歩計により歩数が一定数カウントされたことを契機として、前記無線通信手段により前記地図画像提供手段にアクセスさせ、前記地図画像を更新させる制御手段とを備えたことを特徴とする。
【０００７】
なお、前記制御手段は、前記万歩計による歩数のカウント値を参照して、前記位置検出手段の検出結果を修正することが好ましい。また、前記表示手段は、前記地図画像とともに前記万歩計による歩数のカウント値を表示することが好ましい。
【発明の効果】
【０００８】
本発明の携帯型情報端末によれば、利用者の現在位置を検出する位置検出手段と、位置検出手段の検出結果に応じた地図画像を提供する地図画像提供手段に無線接続する無線通信手段と、地図画像を表示する表示手段と、利用者の歩数をカウントする万歩計と、万歩計により歩数が一定数カウントされたことを契機として、無線通信手段により地図画像提供手段にアクセスさせ、地図画像を更新させる制御手段とを備えたので、ヒューマンナビゲーションサービスの利用に際して、無駄なアクセス料金を発生させることなく、通信負荷を軽減させることができる。
【発明を実施するための最良の形態】
【０００９】
図１において、本発明を適用した携帯型情報端末２は、例えば携帯電話やＰＤＡなどからなり、ＣＰＵ１０により全体を統括的に制御される。ＣＰＵ１０には、操作部１１、万歩計１２、位置検出部１３、ＬＣＤドライバ１４、通信Ｉ／Ｆ１５、およびメモリ１６が接続されている。
【００１０】
操作部１１は、携帯型情報端末２の電源をオンオフする電源スイッチや、各種操作ボタンなどからなる。ＣＰＵ１０は、操作部１１の操作に連動して、携帯型情報端末２の各部を動作させる。
【００１１】
万歩計１２は、携帯型情報端末２の利用者の歩数をカウントし、この計数結果をＣＰＵ１０に送信する。なお、万歩計１２は、例えば利用者の歩行動作に合わせて振動する振り子からなり、この振動を検知することで利用者の歩数をカウントする。
【００１２】
位置検出部１３は、ＧＰＳアンテナ１７を介して人工衛星１８からの電波を受信する。そして、この電波信号を元に携帯型情報端末２の利用者の現在位置（経緯度など）を検出し、検出結果をＣＰＵ１０に送信する。
【００１３】
ＬＣＤドライバ１４は、液晶表示器（ＬＣＤ）１９の表示制御を行う。通信Ｉ／Ｆ１５は、アンテナ２０を介して、位置検出部１３の検出結果に応じた地図画像３０（図２参照）を提供するサーバ２１に接続し、サーバ２１とのデータの無線送受信を媒介する。メモリ１６は、サーバ２１からダウンロードした地図画像３０などを記憶する。
【００１４】
サーバ２１には、膨大な地図画像３０が蓄積されている。このサーバ２１は、携帯型情報端末２から位置検出部１３の検出結果が送信されると、大量の地図画像３０の中から、送信された検出結果に応じた地図画像３０を検索し、検索した地図画像３０を携帯型情報端末２に送信する。なお、サーバ２１は、携帯型情報端末２のアクセス回数を利用者毎に管理し、アクセス料金の算出を行っている。
【００１５】
図２に示すように、携帯型情報端末２では、位置検出部１３によるＧＰＳ機能と、通信Ｉ／Ｆ１５によるネットワーク接続機能とを用いて、利用者の現在位置周辺の地図画像３０をサーバ２１からダウンロードし、ダウンロードした地図画像３０をＬＣＤ１９に表示して、利用者の目的地への移動を助けるヒューマンナビゲーションサービスを利用することができる。
【００１６】
ＣＰＵ１０は、ＬＣＤ１９に表示される地図画像３０に、位置検出部１３で検出した利用者の現在位置を知らせる十字状のマーク３１を付し、下側に万歩計１２による歩数のカウント値を示すカウンター３２を表示させる。
【００１７】
ＣＰＵ１０は、万歩計１２により利用者の歩数が一定数（例えば１００歩）カウントされたことを契機として、通信Ｉ／Ｆ１５によりサーバ２１にアクセスさせる。また、このときの位置検出部１３の検出結果を、万歩計１２による歩数のカウント値を参照して修正し、修正した検出結果をサーバ２１に送信する。そして、メモリ１６に記憶された地図画像３０を、修正した検出結果に応じてサーバ２１からダウンロードされる地図画像３０に更新させる。なお、位置検出部１３の検出結果をカウント値を参照して修正する方法としては、１歩を約１ｍとして換算し、これと前回の位置検出部１３の検出結果とから求められる利用者の現在位置を、位置検出部１３の検出結果と照合することにより行う。
【００１８】
次に、携帯型情報端末２でヒューマンナビゲーションサービスを利用する際の処理手順について、図３のフローチャートを参照して説明する。まず、利用者は、操作部１１を操作して、通信Ｉ／Ｆ１５によりサーバ２１にアクセスする。サーバ２１へのアクセス後、位置検出部１３で利用者の現在位置が検出され、現在位置周辺の地図画像３０がサーバ２１からメモリ１６にダウンロードされる。
【００１９】
サーバ２１からダウンロードされた地図画像３０は、メモリ１６からＣＰＵ１０に読み出される。ＣＰＵ１０に読み出された地図画像３０は、位置検出部１３で検出した利用者の現在位置を知らせる十字状のマーク３１が付されるなどの各種画像処理が施された後、ＬＣＤドライバ１４を介してＬＣＤ１９に表示される。
【００２０】
万歩計１２により利用者の歩行が検知されると、利用者の歩数がカウントされる。このカウント値は、ＣＰＵ１０に送信されるとともに、ＬＣＤ１９に表示される地図画像３０の下側のカウンター３２に表示される。
【００２１】
万歩計１２により利用者の歩数が一定歩数カウントされると、通信Ｉ／Ｆ１５によるサーバ２１へのアクセスが再び実行され、位置検出部１３で利用者の現在位置が検出される。ＣＰＵ１０では、このときの位置検出部１３の検出結果が、万歩計１２による歩数のカウント値を参照して修正される。そして、この修正された検出結果がサーバ２１に送信される。
【００２２】
サーバ２１では、受信した修正後の検出結果に応じた地図画像３０が検索される。サーバ２１で検索された地図画像３０は、携帯型情報端末２に送信される。携帯型情報端末２では、メモリ１６に記憶された地図画像３０が、サーバ２１から送信された地図画像３０に更新され、この更新された地図画像３０がＬＣＤ１９に表示される。これら一連の処理は、利用者が操作部１１を操作してサーバ２１との接続を切断し、ヒューマンナビゲーションサービスの利用を終了させるまで、繰り返し実行される。
【００２３】
上記のように、利用者の歩数が一定歩数カウントされたことを契機としてサーバ２１にアクセスし、地図画像３０を更新するので、一定の時間間隔でサーバにアクセスし、その都度地図画像をダウンロードして更新する従来の場合と比較して、利用者が移動せずに立ち止まっている間や、地図画像３０を注視せずに移動している間の無駄なアクセス回数を減らすことができる。また、位置検出部１３の検出結果をカウント値を参照して修正するので、より正確な利用者の現在位置を取得することができる。
【００２４】
なお、上記実施形態では、サーバ２１へのアクセスの契機となる歩数を、例として１００歩としているが、この歩数は適宜変更することが可能である。また、この歩数を利用者が設定・変更することができるようにしてもよい。
【図面の簡単な説明】
【００２５】
【図１】本発明を適用した携帯型情報端末の内部構成を示すブロック図である。
【図２】ＬＣＤに地図画像が表示された状態を示す説明図である。
【図３】ヒューマンナビゲーションサービスを利用する際の携帯型情報端末の処理手順を示すフローチャートである。
【符号の説明】
【００２６】
２  携帯型情報端末
１０  ＣＰＵ
１２  万歩計
１３  位置検出部
１５  通信Ｉ／Ｆ
１６  メモリ
１９  液晶表示器（ＬＣＤ）
２１  サーバ
３０  地図画像
３２  カウンター
【図１】
2005266160.tif 000003
【図２】
2005266160.tif 000004
【図３】
2005266160.tif 000005